(57)【要約】【課題】デフォルトデバイスを簡単に切り替えることが可能となる画像処理プログラム及び端末装置を提供する。【解決手段】スマートフォン１００に実行される画像処理プログラムは、通信ネットワーク５００に接続されたデバイス２００ａ〜２００ｆの一覧であるデバイスリストを表示部１０５に表示する処理と、デバイスリストの中から操作部１０６を介して選択指示した複数のデバイス２００ａ〜２００ｃを選択デバイスとして記憶部１０８に記憶させる処理と、デバイス２００ａ〜２００ｆにスキャン機能と印刷機能を含む複数の機能のうちのいずれを実行させるかをユーザに選択させるためのホーム画面であって、当該複数の機能は記憶部１０８に記憶された選択デバイスで実行可能な機能の和であるホーム画面を表示部１０５に表示する処理と、を含む。【選択図】  図１
2020087291.tif 000002
【特許請求の範囲】
【請求項１】
ネットワークを介して画像処理デバイスと通信可能に接続される端末装置であって、記憶部と、操作部と、表示部と、を備えた端末装置に、
ネットワークに接続された画像処理デバイスの一覧であるデバイスリストを前記表示部に表示するデバイスリスト表示処理と、
前記デバイスリストの中から前記操作部を介して選択指示した複数の画像処理デバイスを選択デバイスとして前記記憶部に記憶させる記憶処理と、
画像処理デバイスにスキャン機能と印刷機能を含む複数の機能のうちのいずれを実行させるかをユーザに選択させるためのメイン画面であって、当該複数の機能は前記記憶部に記憶された選択デバイスで実行可能な機能の和であるメイン画面を前記表示部に表示するメイン画面表示処理と、
前記メイン画面が表示されている際に、前記操作部を介して複数の機能のうち１の機能の選択指示を受け付けると、前記選択デバイスに含まれる複数の画像処理デバイスのうち、選択指示を受け付けた機能を実行可能な１の画像処理デバイスを決定する決定処理と、
前記決定処理の実行後に、前記操作部を介して画像処理の実行指示を受け付けると、前記決定処理により決定された１の画像処理デバイスに画像処理を指示する指示処理と、
を実行させる画像処理プログラム。
【請求項２】
前記メイン画面には、前記選択デバイスに含まれる複数の画像処理デバイスの各デバイス情報が含まれており、
前記機能の選択指示を受け付けた後に表示される表示画面には、前記選択デバイスに含まれる複数の画像処理デバイスのうち、決定された１の画像処理デバイスのデバイス情報が含まれ、他の画像処理デバイスのデバイス情報は含まれない
ことを特徴とする請求項１に記載の画像処理プログラム。
【請求項３】
前記端末装置にさらに、
前記機能の選択指示を受け付けた後に、当該受け付けた機能により利用される画像の画像処理に関する設定パラメータを受け付ける設定画面を前記表示部に表示する設定画面表示処理
を実行させ、
前記決定処理では、前記選択デバイスに含まれる複数の画像処理デバイスのうち、選択指示を受け付けた機能を実行可能な画像処理デバイスが複数ある場合には、当該受け付けた機能を実行可能で、かつ、前記設定画面から受け付けた設定パラメータにより画像処理を実行可能な画像処理デバイスを１の画像処理デバイスに決定する
ことを特徴とする請求項１又は２に記載の画像処理プログラム。
【請求項４】
前記決定処理では、前記選択指示を受け付けた機能を実行するために、画像処理デバイスが複数動作する機能が選択された場合には、前記選択デバイスに含まれる複数の画像処理デバイスのうち、動作回数に対応する数の画像処理デバイスを決定することを特徴とする請求項１乃至３のいずれか１項に記載の画像処理プログラム。
【請求項５】
前記決定処理では、前記選択デバイスに含まれる複数の画像処理デバイスのうち、前記選択指示を受け付けた機能を実行可能な画像処理デバイスが複数ある場合には、所定の条件に基づき１の画像処理デバイスを決定し、他の画像処理デバイスに変更可能なデバイス選択画面を前記表示部に表示させることを特徴とする請求項１乃至４のいずれか１項に記載の画像処理プログラム。
【請求項６】
前記デバイスリスト表示処理では、前記デバイスリストの中から、同時に複数の画像処理デバイスを選択デバイスとして選択可能な画面を前記表示部に表示させることを特徴とする請求項１乃至５のいずれか１項に記載の画像処理プログラム。
【請求項７】
前記記憶部には、特定の画像処理デバイスを特定するデバイス情報が記憶され、
前記デバイスリスト表示処理では、前記デバイスリストに掲載されている画像処理デバイスのうち、前記記憶部に記憶されているデバイス情報で特定される画像処理デバイスはあらかじめ選択済みで表示する
ことを特徴とする請求項１乃至６のいずれか１項に記載の画像処理プログラム。
【請求項８】
前記複数の機能には、第１画像処理デバイスへの画像処理の実行指示と第２画像処理デバイスへの画像処理の実行指示とを含むワークフロー機能が含まれ、
前記記憶部に記憶される選択デバイスとして前記第１画像処理デバイスと前記第２画像処理デバイスとが含まれる場合に、前記ワークフロー機能を選択指示するためのアイコンを含む前記メイン画面を表示し、前記メイン画面が表示されている際に、前記ワークフロー機能を選択指示するための前記アイコンが前記操作部を介して選択操作された場合に、前記決定処理は、前記第１画像処理デバイスと第２画像処理デバイスの両方を画像処理デバイスとして決定し、
前記記憶部に記憶される選択デバイスとして前記第１画像処理デバイスが含まれ、かつ前記第２画像処理デバイスが含まれない場合に、前記ワークフロー機能を選択指示するためのアイコンを含む前記メイン画面を表示し、前記メイン画面が表示されている際に、前記ワークフロー機能を選択指示するための前記アイコンが前記操作部を介して選択操作された場合に、前記決定処理は、前記ワークフロー機能が実行できない旨のメッセージ画面を表示する
ことを特徴とする請求項１乃至７のいずれか１項に記載の画像処理プログラム。
【請求項９】
ネットワークを介して画像処理デバイスと通信可能に接続され、記憶部と、操作部と、表示部と、制御部と、を備えた端末装置であって、
前記制御部は、
ネットワークに接続された画像処理デバイスの一覧であるデバイスリストを前記表示部に表示するデバイスリスト表示処理と、
前記デバイスリストの中から前記操作部を介して選択指示した複数の画像処理デバイスを選択デバイスとして前記記憶部に記憶させる記憶処理と、
画像処理デバイスにスキャン機能と印刷機能を含む複数の機能のうちのいずれを実行させるかをユーザに選択させるためのメイン画面であって、当該複数の機能は前記記憶部に記憶された選択デバイスで実行可能な機能の和であるメイン画面を前記表示部に表示するメイン画面表示処理と、
前記メイン画面が表示されている際に、前記操作部を介して複数の機能のうち１の機能の選択指示を受け付けると、前記選択デバイスに含まれる複数の画像処理デバイスのうち、選択指示を受け付けた機能を実行可能な１の画像処理デバイスを決定する決定処理と、
前記決定処理の実行後に、前記操作部を介して画像処理の実行指示を受け付けると、前記決定処理により決定された１の画像処理デバイスに画像処理を指示する指示処理と、
を実行する
ことを特徴とする端末装置。
【発明の詳細な説明】
【技術分野】
【０００１】
本発明は、画像処理の実行対象となるデバイスの設定技術に関するものである。
【背景技術】
【０００２】
従来、スキャン＆プリントアプリを実行することで、ネットワークを介して接続されたスキャナにスキャン要求を送信したり、プリンタに印刷要求を送信したりする情報処理装置が知られている。特許文献１では、用途ごとに、その用途に応じてどのデバイスを使用するかを特定するためのデフォルトデバイスを設定することが記載されている。
【先行技術文献】
【特許文献】
【０００３】
【特許文献１】特開２０１２−３８２９１号公報
【発明の概要】
【発明が解決しようとする課題】
【０００４】
１台しかデフォルトデバイスが設定できない場合に、設定済みのデフォルトデバイスとは異なるデバイスに画像処理の実行を指示したい場合には、再度デバイス検索からやり直さなければならず、面倒であった。
【０００５】
そこで、本発明は、デフォルトデバイスを簡単に切り替えることが可能となる技術を提供することを目的とする。
【課題を解決するための手段】
【０００６】
上記目的を達成するため、本発明は、ネットワークを介して画像処理デバイスと通信可能に接続される端末装置であって、記憶部と、操作部と、表示部と、を備えた端末装置に、ネットワークに接続された画像処理デバイスの一覧であるデバイスリストを表示部に表示するデバイスリスト表示処理と、デバイスリストの中から操作部を介して選択指示した複数の画像処理デバイスを選択デバイスとして記憶部に記憶させる記憶処理と、画像処理デバイスにスキャン機能と印刷機能を含む複数の機能のうちのいずれを実行させるかをユーザに選択させるためのメイン画面であって、当該複数の機能は記憶部に記憶された選択デバイスで実行可能な機能の和であるメイン画面を表示部に表示するメイン画面表示処理と、メイン画面が表示されている際に、操作部を介して複数の機能のうち１の機能の選択指示を受け付けると、選択デバイスに含まれる複数の画像処理デバイスのうち、選択指示を受け付けた機能を実行可能な１の画像処理デバイスを決定する決定処理と、決定処理の実行後に、操作部を介して画像処理の実行指示を受け付けると、決定処理により決定された１の画像処理デバイスに画像処理を指示する指示処理と、を実行させることを特徴とする。
【０００７】
なお、本明細書に開示される技術は、種々の形態で実現することが可能であり、例えば、端末装置、画像処理方法、これら装置の機能または上記方法を実現するためのコンピュータプログラムを記録した記録媒体、等の形態で実現することができる。
【発明の効果】
【０００８】
本発明によれば、デフォルトデバイスを簡単に切り替えることが可能となる。
【図面の簡単な説明】
【０００９】
【図１】本発明の一実施の形態に係る端末装置を適用したスマートフォンの概略構成と、スマートフォンが通信ネットワークを介して複数のデバイスと接続されている様子を示す図である。
【図２】スキャン＆プリント機能におけるデバイス選択前のホーム画面（（ａ））、デバイス選択ダイアログ（（ｂ））、及びデバイス選択後のホーム画面（（ｃ））の各表示例を示す図である。
【図３】図１のスマートフォン、特に制御部が実行するデバイス選択処理の手順を示すフローチャートである。
【図４】図３のデバイス選択処理の続きの手順を示すフローチャートである。
【図５】スキャン＆プリント機能におけるプリントプレビュー画面の表示例を示す図である。
【図６】図１のスマートフォン、特に制御部が実行するプリントプレビュー画面表示処理の手順を示すフローチャートである。
【図７】図６のプリントプレビュー画面表示処理の続きの手順を示すフローチャートである。
【図８】図７のプリントプレビュー画面表示処理の続きの手順を示すフローチャートである。
【発明を実施するための形態】
【００１０】
以下、本発明の実施の形態を図面に基づいて詳細に説明する。
【００１１】
図１は、本発明の一実施の形態に係る画像処理プログラムを実行するスマートフォン１００、及びスマートフォン１００と通信可能に接続されている各種のデバイス２００を示す模式図である。スマートフォン１００は通話機能に加えて無線通信機能を有しており、無線ＬＡＮルータ４００などを介して通信ネットワーク５００に無線接続される。
【００１２】
複合機２００ａ，２００ｂ、２００ｄ、２００ｅは、複数の機能（具体的には、プリンタ機能やスキャナ機能、ＦＡＸ機能）を備えるデバイスである。複数の複合機２００ａ，２００ｂ、２００ｄ、２００ｅは互いに異なるメーカーのものであってもよいし、同一メーカーの互いに異なる機種であってもよい。例えば、複合機２００ａはインクジェット方式により印刷を行うプリンタ機能と、フラットベッド（ＦＢ）方式によりスキャンを行うスキャナ機能とを有する複合機であり、複合機２００ｂは、カラーのレーザー方式により印刷を行うプリンタ機能と、ＦＢ方式によるスキャンのほかに、オートドキュメントシートフィーダ（ＡＤF）によるスキャナ機能を有する複合機である。
【００１３】
プリンタ２００ｃ、スキャナ２００ｆはそれぞれプリンタ機能、スキャナ機能のみを備える単機能のデバイスである。これらのデバイスも互いに異なるメーカーのものであってもよいし、同一メーカーの互いに異なる機種であってもよい。プリンタ２００ｃは、モノクロのレーザー方式によるプリンタ機能を有するデバイスである。
【００１４】
以降の説明において単にデバイス２００というときは、複数のデバイスのうちいずれか１つのデバイスのことをいうものとする。
【００１５】
スマートフォン１００は、制御部１０１、送受信部１０２、音声入出力部１０３、無線通信部１０４、表示部１０５、操作部１０６、撮像部１０７、記憶部１０８を備えて構成されている。
【００１６】
制御部１０１は、ＣＰＵ（Central Processing Unit）、ＲＯＭ（Read Only Memory）、ＲＡＭ（Random Access Memory）などを備えて構成されている。ＣＰＵは、ＲＯＭや記憶部１０８に記憶されている各種のプログラムを実行することによりスマートフォン１００の各部を制御する。ＲＯＭは、ＣＰＵが実行するための各種のプログラムやデータなどを記憶している。ＲＡＭは、ＣＰＵが各種の処理を実行するための一時記憶装置として用いられる。
【００１７】
送受信部１０２は、アンテナ、ＲＦ（Radio Frequency）回路、ベースバンドプロセッサなどを備えて構成されており、アンテナを介して基地局３００との間で音声信号の送受信を行う。また、送受信部１０２は基地局３００との間でパケット通信を行うことも可能に構成されている。
【００１８】
音声入出力部１０３は、マイク、スピーカ、音声処理回路などを備えて構成されている。マイクによって入力された音声信号は送受信部１０２によって基地局３００に送信され、送受信部１０２によって基地局３００から受信した音声信号はスピーカによって発音される。
【００１９】
無線通信部１０４は、Ｗｉ−Ｆｉ（IEEE 802.11a/IEEE 802.11b）（登録商標）に準拠して構成されており、無線ＬＡＮルータ４００などを介してＬＡＮ（Local Area Network）やインターネットなどの通信ネットワーク５００に無線接続される。
【００２０】
なお、スマートフォン１００を通信ネットワーク５００に無線接続できる規格であれば無線通信の規格はＷｉ−Ｆｉに限られない。例えば、スマートフォン１００はＢｌｕｅｔｏｏｔｈ（IEEE 802.15.1）（登録商標）によって無線接続される構成であってもよいし、赤外線による光無線データ通信（IrDA）によって無線接続される構成であってもよい。
【００２１】
また、本実施形態ではスマートフォン１００を通信ネットワーク５００に無線接続する場合を例に説明するが、スマートフォン１００は通信ネットワーク５００に有線接続されてもよい。
【００２２】
表示部１０５は、液晶ディスプレイや有機ＥＬディスプレイなどの表示装置、表示装置を駆動する駆動回路などを備えて構成されている。
【００２３】
操作部１０６は、表示装置の表示面を覆う略透明なタッチパネル、タッチパネルを制御する制御回路、各種の操作ボタンなどを備えて構成されている。ユーザは操作部１０６を操作することによって電話番号の入力やアプリケーションプログラムの操作などを行うことができる。
【００２４】
撮像部１０７は、エリアイメージセンサ、光学系、アナログフロントエンド部、画像処理部などを有しており、被写体を撮像してデジタル画像を生成する。
【００２５】
記憶部１０８は、フラッシュメモリなどの不揮発性メモリを用いて各種のプログラムやデータを記憶する。記憶部１０８には、オペレーティングシステム（ＯＳ）、後述する画像処理プログラム、その他各種のアプリケーションプログラムやデータなどが記憶される。
【００２６】
画像処理プログラムなどのアプリケーションプログラム（以下「アプリケーション」という）は、送受信部１０２や無線通信部１０４を介して外部のサーバからダウンロードすることができる。なお、スマートフォン１００にＵＳＢ（Universal Serial Bus）インタフェースを設け、ＵＳＢインタフェースを介して外部のコンピュータからアプリケーションをダウンロードしてもよい。
【００２７】
画像処理プログラムは、デバイス２００が備える複数の機能（具体的には、プリンタ機能やスキャナ機能、ＦＡＸ機能）を制御可能なアプリケーションプログラムであって、プリンタを制御して画像を印刷させる処理、スキャナを制御して画像を取り込む処理、及びＦＡＸ装置を制御してＦＡＸ送受信を行わせる処理をスマートフォン１００に実行させるデバイスドライバとしての機能をもつ。
【００２８】
以上のように構成されたスマートフォン１００が画像処理プログラムを実行することによりなされる処理のうち、本発明の特徴となる処理を、図２〜図８を参照して詳細に説明する。
【００２９】
本画像処理プログラムが起動されると、スマートフォン１００の表示部１０５には、図２（ａ）に示す初期のホーム（ＨＯＭＥ）画面１１０が表示される。初期のホーム画面１１０とは、本実施形態では、デバイス選択がなされていないときのホーム画面である。
【００３０】
初期のホーム画面１１０には、図２（ａ）に示すように、画像処理に関する複数の機能のいずれかを選択指示するためのアイコンが表示される領域が設けられ、その領域内に、プリントアイコン１１１とスキャンアイコン１１２が表示されている。プリントアイコン１１１は、プリント機能を選択指示するためのものであり、スキャンアイコン１１２は、スキャン機能を選択指示するためのものである。
【００３１】
またホーム画面１１０には、デフォルトデバイスとして選択されたデバイス情報を表示するデバイスアイコン表示領域１１３が含まれる。デバイスアイコン表示領域１１３には、デフォルトデバイスとして、複数台のデバイスを選択した場合には、選択された複数台のデバイスのそれぞれを示すアイコンが表示される。なお初期のホーム画面１１０では、デバイス選択がなされていないので、デバイスアイコン表示領域１１３には、デバイスが未選択状態であることが表示されている。さらにホーム画面１１０には、デフォルトデバイスを選択するための選択ボタン１１６、ワークフロー（ＷＦ）を作成するためのＷＦ作成ボタン１１５も表示されている。
【００３２】
ＷＦは、一連の作業をひとまとめにし、ワンクリックで実行できるような仕組みのことである。ユーザが、ＷＦ作成ボタン１１５を操作すると、登録したいＷＦの作業内容の設定を行うための画面が表示される。例えば、所定の画像処理デバイスから入力されたデータに対し、色変換等の所定の画像処理を実行したあと、所定の保存先の記憶装置に送信する作業であれば、ユーザは、操作部１０６を介して、これから登録するＷＦの名称、所定の画像処理デバイスを特定するためのＩＰアドレス等の特定情報、所定の保存先の記憶装置を特定するためのＩＰアドレス等の特定情報、入力するデータの解像度や色数等のデータ設定情報、所定の画像処理の画像処理内容を示す処理設定情報等を入力操作する。ＣＰＵは、ユーザにより入力操作された情報をＷＦ情報として記憶部１０８に記憶する。本実施形態では、３つのＷＦ（ＷＦ１、ＷＦ２、ＷＦ３）が記憶部１０８に登録されている。
【００３３】
名称がＷＦ１のＷＦは、所定の時間になると、所定のパスにある画像ファイルを所定の画像処理デバイスで印刷するＷＦである。このＷＦの設定情報には、所定の時間情報（例えば、毎週月曜の８：００）、所定のパスにある画像ファイルを特定するための情報、所定の画像処理デバイスの情報（例えば、複合機２００ａ）が含まれる。名称がＷＦ２のＷＦは、所定の画像処理から読み取られたスキャン画像を所定の記憶領域に保存するＷＦである。このＷＦの設定情報には、所定の画像処理デバイスの情報（例えば、スキャナ２００ｆ）、所定の記憶領域を特定する情報が含まれる。名称がＷＦ３のＷＦは、所定の画像処理デバイスでスキャンしたスキャンデータを所定の画像処理デバイスで印刷するＷＦである。このＷＦの設定情報は、画像をスキャンするための所定の画像処理デバイスの情報（例えば、スキャナ２００ｆ）と画像を印刷するための所定の画像処理デバイスの情報（例えば、プリンタ２００ｃ）を含む。すなわち、ＷＦ３には、複数の画像処理デバイスが設定情報として登録されている。
【００３４】
つづいて、図３に示すデバイス選択処理について説明する。ユーザが、例えば自身の指で選択ボタン１１６をタップすると、スマートフォン１００、特に制御部１０１の上記ＣＰＵ（以下、単に「ＣＰＵ」と記載した場合は、制御部１０１のＣＰＵを示すものとする）は、図３に示すデバイス選択処理を開始する。
【００３５】
本デバイス選択処理では、まずＣＰＵは、表示部１０５にデバイス検索ダイアログを表示させる（ステップ（Ｓ）１）。図２（ｂ）は、表示されたデバイス検索ダイアログ１２０を示している。デバイス検索ダイアログ１２０は、同図（ｂ）に示すように、ネットワークタブ付きデバイスリスト１２１とＵＳＢタブ付きデバイスリスト１２２のいずれかを選択して表示することができるようになっている。そして図示例では、ネットワークタブ付きデバイスリスト１２１が選択され表示されている。つまり、上記ステップ１の処理には、単にデバイス検索ダイアログ１２０を表示させる処理だけではなく、デバイスリスト１２１，１２２を生成して表示させる処理も含まれている。
【００３６】
例えば、ネットワークタブ付きデバイスリスト１２１を生成するには、まずＣＰＵは、上記通信ネットワーク５００上に接続されているデバイス２００ａ〜２００ｆに対して、ブロードキャスト送信を行う。次にＣＰＵは、これに応答したデバイスを検出する。そしてＣＰＵは、検出したデバイスを示すデバイス情報を記載したデバイスリストを生成する。
【００３７】
デバイスリスト１２１の表示形式は、本実施形態では、デバイスアイコン、モデル名、ＩＰアドレスである。また、各デバイスアイコンに隣接して、設定対象として選択するかどうかを示すチェックボックス１２１ａ〜１２１ｄも表示されている。ユーザは、チェックボックス１２１ａ〜１２１ｄをタップする度にトグルで、デバイスの選択と非選択とを指示することができる。選択されたことは、チェックボックス１２１ａ〜１２１ｄにレ点が表示されることによって示される。図示例では、チェックボックス１２１ａ〜１２１ｃにレ点が表示されているので、この３つのデバイスがデフォルトデバイスとして選択されている。この３つのデバイスは、例えば図１のデバイス２００ａ〜２００ｃに対応づけられる。なお、選択されたデバイスの情報（以下「選択デバイス情報」という）は、ＯＫボタン１２３が押下されたことに応じて、記憶部１０８に記憶され、キャンセルボタン１２４が押下されたことに応じて、キャンセルされる。
【００３８】
図３に戻り、ＣＰＵは、複数のデバイスが選択されたかどうかを判断する（ステップ２）。この判断は、記憶部１０８に記憶された選択デバイス情報に基づいて行われる。
【００３９】
ステップ２の判断の結果、１つのデバイスのみ選択されていれば、ＣＰＵは、選択されたデバイスのケイパビリティを取得した（ステップ３）後、処理をステップ６に進める。ここでケイパビリティとは、本実施形態ではデバイスの能力のことであり、具体的には、実行可能な機能（スキャン機能、プリント機能、ＦＡＸ機能）や各機能の特徴などをまとめたものである。各機能の特徴とは、例えば、実行可能な機能がプリント機能の場合には、そのプリント機能により印刷されるプリント方式がインクジェット方式であるか、カラーのレーザー方式であるか、モノクロのレーザー方式であるかを示す情報、プリント機能により印刷可能な用紙種別（普通紙や光沢紙等）、用紙サイズ（Ａ３，Ａ４等）、色数（カラー／モノクロ）、画質（標準画質のほかに高画質にも対応しているか）等を含む。実行可能な機能がスキャン機能の場合には、そのスキャン機能によりスキャン可能なスキャン方式（ＦＢ方式ＡＤＦ方式のいずれに対応しているか）、そのスキャン機能によりスキャン可能な解像度（３００ｄｐｉ，６００ｄｐｉ等）、原稿サイズ（Ａ３，Ａ４等）、色数（カラー／モノクロ）等を含む。実行可能な機能が複数機能ある場合は、各機能に対応する能力情報をそれぞれ含む。そして、ケイパビリティの取得は、取得対象のデバイスに対して、例えばユニキャストにより取得要求を行って、そのデバイスから直接取得する方法や、インターネット上のデータベース等の登録先から間接的に取得する方法等によって行う。なお、ケイパビリティの取得方法としては、どのような方法を用いてもよい。
【００４０】
上記ステップ２の判断の結果、複数のデバイスが選択されていれば、ＣＰＵは、選択されたすべてのデバイスのケイパビリティを取得し（ステップ４）、取得したケイパビリティを合わせた統合ケイパビリティを作成した（ステップ５）後、処理をステップ６に進める。例えば、図２（ｃ）の例では、複合機２００ａ、プリンタ２００ｃ、複合機２００ｂの３つのデバイスが選択されている。
【００４１】
複合機２００ａのケイパビリティは、インクジェット方式のプリント機能を実行可能であり、用紙種別は普通紙および光沢紙を含み、用紙サイズはＡ４およびＬ版を含む。また色数はカラー・モノクロ両方に対応しており、画質は高画質と標準画質とを含む。スキャナ機能はＦＢ方式が可能であり、解像度３００ｄｐｉ、６００ｄｐｉで、Ａ４以下のサイズでカラーでスキャンできる。プリンタ２００ｃは、モノクロのレーザー方式のプリント機能が実行可能であり、普通紙、Ａ４、モノクロでの印刷能力はあるが、例えば、用紙種別が光沢紙への印刷や、カラーでの印刷は対応していない。複合機２００ｂは、カラーのレーザー方式のプリント機能が実行可能であり、用紙種別は普通紙に対応しているが光沢紙には対応していない。用紙サイズはＡ４以外に、Ａ３にも対応している。また色数はカラーに対応している。スキャン機能はＡＤＦ方式にも対応しており、解像度３００ｄｐｉ、６００ｄｐｉで、Ａ３以下のサイズでカラーでスキャンできる。
【００４２】
これら３つのデバイス２００ａ、２００ｂ、２００ｃの統合ケイパビリティは、以下の情報が含まれる。すなわち、実行可能な機能がスキャン機能およびプリント機能であり、その特徴として、スキャン方式はＦＢ方式およびＡＤＦ方式であり、プリント方式はインクジェット方式、モノクロのレーザー方式およびカラーのレーザー方式である。また、プリント機能における能力情報は、用紙種別は普通紙および光沢紙を含み、用紙サイズはＡ３，Ａ４、Ｌ版を含む。色数はカラー、モノクロに対応しており、画質は高画質と標準画質の両方を含む。
【００４３】
ステップ６では、ＣＰＵは、ケイパビリティまたは統合ケイパビリティ（以下、単に統合ケイパビリティという）にスキャン機能が含まれているかどうかを判断する。この判断は、選択されたデバイスの中にスキャン機能を備えているデバイスがあるかどうかを判断することと同じであり、この判断をケイパビリティに基づいて行っている。
【００４４】
上記ステップ６の判断の結果、統合ケイパビリティにスキャン機能が含まれていれば、ＣＰＵは、ホーム（ＨＯＭＥ）画面にスキャンアイコンを表示するようにした（ステップ７）後、処理をステップ８に進める一方、統合ケイパビリティにスキャン機能が含まれていなければ、ＣＰＵは、ステップ７をスキップして、処理をステップ８に進める。
【００４５】
ステップ８，９とステップ１０，１１はそれぞれ、ステップ６，７と同様の処理を行っているので、その概要のみ説明する。つまり、ステップ８，９の処理では、統合ケイパビリティにプリント機能が含まれていれば、ホーム画面にプリントアイコンを表示するようにする。一方、ステップ１０，１１では、統合ケイパビリティにＦＡＸ機能が含まれていれば、ホーム画面にＦＡＸアイコンを表示するようにする。
【００４６】
次にＣＰＵは、選択されたデバイスに関するワークフロー（ＷＦ）が含まれるかどうかを判断する（図４のステップ１２）。記憶部１０８に記憶されたＷＦ情報を読み出し、登録されているＷＦ情報に含まれる画像処理デバイスが、選択されたデバイスに含まれているかを判断する。ＷＦ情報に含まれる画像処理デバイスが選択されたデバイスに含まれれば、ＣＰＵは、ホーム画面に関連するＷＦのアイコンを表示する（ステップ１３）。一方、ＷＦが含まれなければ、ＣＰＵは、ステップ１３をスキップして、処理をステップ１４に進める。
【００４７】
本実施形態の３つのＷＦ１〜ＷＦ３のうち、ＷＦ１の設定情報に登録される画像処理デバイスである複合機２００ａは、選択されたデバイスに含まれるため、ＷＦ１のアイコンがホーム画面に表示される。一方、ＷＦ２の設定情報に含まれる画像処理デバイスであるスキャナ２００ｆは、選択されたデバイスに含まれないためＷＦ２のアイコンはホーム画面に表示されない。ＷＦ３の設定情報に含まれる画像処理デバイスのうち、プリンタ２００ｃは選択されたデバイスに含まれるがスキャナ２００ｆは選択されたデバイスに含まれない。このような場合、本実施形態では、ＷＦ３のアイコンをホーム画面に表示する。すなわち、ステップ１２では、ＷＦで指定されたデバイスのうち少なくとも１つのデバイスが選択されたデバイスに含まれる場合、ＹＥＳと判断されステップ１３へ移行する。ただし、このとき、ホーム画面に表示されるＷＦ３アイコンの下には、円で囲まれた“！”の警告表示１１９ａが表示される。この警告表示１１９ａは、何らかの原因で現在、そのアイコンで示される機能を選択できない状態であることを示す表示である。
【００４８】
上記ステップ１４では、ＣＰＵは、統合ケイパビリティにスキャン機能とプリント機能との両方が含まれているかどうかを判断する。スキャン機能とプリント機能との両方が含まれていれば、ＣＰＵは、ホーム画面にコピーアイコンを表示するようにする（ステップ１５）。一方、スキャン機能とプリント機能との少なくともいずれか一方が含まれていなければ、ＣＰＵは、ステップ１５をスキップして、処理をステップ１６に進める。
【００４９】
ステップ１６では、ＣＰＵは、ホーム画面を表示させる。ホーム画面は、このステップ１６の処理によって表示部１０５に表示される。つまり、ステップ７，９，１１，１３及び１５の処理における「アイコンを表示」は、当該アイコンがステップ１６の処理によりホーム画面に表示されるように、例えばフラグを立てる等の事前処理に相当する。
【００５０】
このようにして本デバイス選択処理が実行されると、図２（ｃ）のようなホーム画面１１０′が表示部１０５に表示される。ホーム画面１１０′は、初期のホーム画面１１０に対して、コピーアイコン１１７とＷＦ１アイコン１１８とＷＦ３アイコン１１９が追加して表示され、デバイスアイコン表示領域１１３′には、デフォルトデバイスとして選択された３つのデバイスを示すアイコンが表示されている点が異なっている。なお、図３（ｃ）では、ＷＦ３アイコンには警告表示１１９ａが表示されている。
【００５１】
次に、図５に示すプリントプレビュー画面を表示するための処理について説明する。ホーム画面でプリントアイコン１１１が押下（タップ）されると、プリントカテゴリを選択する画面および印刷対象となる画像データを選択する画面が表示される。それぞれの選択画面でユーザが所望の画像を選択すると、ＣＰＵは、図６に示すプリントプレビュー画面表示処理を開始する。
【００５２】
本プリントプレビュー画面表示処理では、まずＣＰＵは、プリントカテゴリとして写真とドキュメントとのうち、写真が選択されたかどうかを判断する（ステップ２１）。
【００５３】
ステップ２１の判断の結果、プリントカテゴリとして写真が選択されていれば、ＣＰＵは、統合ケイパビリティにインクジェット方式が含まれるかどうかを判断する（ステップ２２）。そしてこの判断の結果、統合ケイパビリティにインクジェット方式が含まれており、選択されたデバイスが複数ある場合には、選択されたデバイスのうち、デフォルトデバイスとして、インクジェット方式のプリント機能を有するデバイスを選択する（ステップ２３）。なお、ここで、インクジェット方式のプリント機能を有するデバイスが複数ある場合には、その中から所定の条件を満たすデバイスを１台に絞り込む。所定の条件の具体例としては、最も新しい機種、最もインク残量があるもの、最近使用されたもの、などである。これらの情報も、ケイパビリティの取得の際にあわせて取得すればよい。
【００５４】
さらに、ＣＰＵは、オススメの印刷設定として、用紙種別：光沢紙、用紙サイズ：Ｌ版、色数：カラー、画質：高画質を選択する（ステップ２３）。オススメの印刷設定とは、プリントプレビュー画面が表示される際に初期設定として選択されている印刷設定であり、ユーザが印刷設定を変更することなく印刷指示を行うと、オススメの印刷設定により印刷指示がデフォルトデバイスに送信される。本実施形態では、オススメの印刷設定はデバイスごとにあらかじめ決められている。例えば、インクジェット方式のプリント機能を有するデバイスのオススメの印刷設定は、用紙種別：光沢紙、用紙サイズ：Ｌ版、色数：カラー、画質：高画質であり、カラーのレーザー方式のプリント機能を有するデバイスのオススメの印刷設定は、用紙種別：普通紙、用紙サイズ：Ａ４、色数：カラー、画質：高画質であり、モノクロのレーザー方式のプリント機能を有するデバイスのオススメの印刷設定は、用紙種別：普通紙、用紙サイズ：Ａ４、色数：モノクロ、画質：標準画質である。このオススメの印刷設定情報は、例えばケイパビリティを取得するときに各デバイスからあわせて取得する。
【００５５】
上記ステップ２２の判断の結果、統合ケイパビリティにインクジェット方式が含まれていなければ、ＣＰＵは、統合ケイパビリティにカラーのレーザー方式が含まれるかどうかを判断する（ステップ２６）。そしてこの判断の結果、統合ケイパビリティにカラーのレーザー方式が含まれており、複数のデバイスが選択されていれば、ＣＰＵは、カラーのレーザー方式のプリント機能を有するデバイスをデフォルトデバイスとして選択し、オススメの印刷設定としてカラーのレーザー方式のオススメの印刷設定を設定する（ステップ２７）。複数のデバイスのうち、カラーのレーザー方式のプリント機能を有するデバイスが複数ある場合は、デフォルトデバイスを、所定の条件にしたがい１台のデバイスに絞り込む。
【００５６】
一方、上記ステップ２６の判断の結果、統合ケイパビリティにカラーのレーザー方式が含まれていなければ、デフォルトデバイスをモノクロのレーザー方式のプリント機能を有するデバイスに選択し、ＣＰＵは、モノクロのレーザー方式のプリント機能を有するデバイスに対応するオススメの印刷設定を設定する（ステップ２８）。複数のデバイスのうち、カラーのレーザー方式のプリント機能を有するデバイスが複数ある場合は、デフォルトデバイスを、所定の条件にしたがい１台のデバイスに絞り込む。
【００５７】
このように、プリントカテゴリとして写真が選択されている場合には、プリントを実行させるデフォルトデバイスとして、インクジェット方式のプリント機能を有するデバイス、カラーのレーザー方式のプリント機能を有するデバイス、モノクロのレーザー方式のプリント機能を有するデバイスの順序で、選択デバイスとして選択されているかどうかを判断するようにしている。これは、写真をプリントする場合、インクジェット方式のプリント機能を有するデバイスが最もきれいにプリントできるからである。もちろん、判断する順序は、上記順序に限られる訳ではない。また、オススメの印刷設定情報もデバイスごとにあらかじめ決められていると説明したが、これに限らず、例えばプリントカテゴリが写真であれば、印刷方式に限らず画質は常に高画質に設定し、プリントカテゴリがドキュメントであれば、画質は常に標準画質にしてもよい。
【００５８】
一方、上記ステップ２１の判断の結果、プリントカテゴリとして写真が選択されていなければ、すなわち、プリントカテゴリとしてドキュメントが選択されていれば、ＣＰＵは、選択されたドキュメントはカラーかどうかを判断する（図７のステップ２９）。この判断の結果、選択されたドキュメントがカラーであれば、ＣＰＵは、統合ケイパビリティにカラーのレーザー方式が含まれるかどうかを判断する（ステップ３０）。そしてこの判断の結果、統合ケイパビリティにカラーのレーザー方式が含まれていれば、ＣＰＵは、デフォルトデバイスとしてカラーのレーザー方式のプリント機能を有するデバイスを選択し、オススメの印刷設定としてカラーのレーザー方式のプリント機能を有するデバイスのオススメの印刷設定を設定する（ステップ３１）。このとき設定されるオススメの印刷設定は、例えば、用紙種別：普通紙、用紙サイズ：Ａ４、色数：カラー、画質：標準画質である。
【００５９】
一方、上記ステップ３０の判断の結果、統合ケイパビリティにカラーのレーザー方式が含まれていなければ、ＣＰＵは、統合ケイパビリティにインクジェット方式が含まれるかどうかを判断する（ステップ３２）。そしてこの判断の結果、統合ケイパビリティにインクジェット方式が含まれていれば、ＣＰＵは、デフォルトデバイスをインクジェット方式のプリント機能を有するデバイスに選択し、オススメの印刷設定をインクジェット方式のプリント機能を有するデバイスに対応するオススメの印刷設定にする（ステップ３３）。このとき設定されるオススメの印刷設定は、例えば、用紙種別：普通紙、用紙サイズ：Ａ４、色数：カラー、画質：標準画質である。
【００６０】
一方、上記ステップ３２の判断の結果、統合ケイパビリティにインクジェット方式が含まれていなければ、ＣＰＵは、デフォルトデバイスとしてモノクロのレーザー方式のプリント機能を有するデバイスを選択し、オススメの印刷設定としてモノクロのレーザー方式のプリント機能を有するデバイスに対応するオススメの印刷設定にする（ステップ３４）。このとき設定されるオススメの印刷設定は、例えば、用紙種別：普通紙、用紙サイズ：Ａ４、色数：モノクロ、画質：標準画質である。
【００６１】
このように、プリントカテゴリとしてドキュメントが選択され、かつ選択ドキュメントがカラーである場合には、プリントを実行させるデフォルトデバイスとして、カラーのレーザー方式、インクジェット方式、モノクロのレーザー方式の順序で、デバイスが選択されているかどうかを判断するようにしている。これは、カラードキュメントをプリントする場合、きれいさよりも印刷コストを優先させた方がユーザにとって好ましいからである。もちろん、判断する順序は、上記順序に限られる訳ではない。
【００６２】
一方、上記ステップ２９の判断の結果、選択されたドキュメントがカラーでなければ、すなわち、選択されたドキュメントがモノクロであれば、プリントを実行させるデフォルトデバイスとして、モノクロのレーザー方式、カラーのレーザー方式、インクジェット方式の順序で、デバイスが選択されているかどうかを判断する。この処理は、上述した処理を類推適用すれば実現できるため、詳細な説明を省略する。
【００６３】
次にＣＰＵは、ステップ２３，２７，２８、３１，３３、３４等により設定されたデフォルトデバイスに対応するオススメの印刷設定にしたがって、プリントプレビュー画像を作成する（図７のステップ２４）。そして、作成したプリントプレビュー画像、オススメの印刷設定、デフォルトデバイスのデバイス情報を含むプリントプレビュー画面を表示する（ステップ２５）。
【００６４】
ステップ２５で表示される表示画面の一例を図５に示す。図５は、プリントカテゴリとして写真が選択された場合のプリントプレビュー画面１３０を示している。プリントプレビュー画面１３０は主として、プリント対象表示領域１３１と、プリントプレビュー表示領域１３２と、プリント設定表示・変更領域１３３と、決定デバイス表示領域１３４と、プリントボタン１３５とによって構成されている。
【００６５】
プリント対象表示領域１３１は、プリント対象となっているデータのファイル名を表示する領域である。プリントプレビュー表示領域１３２は、プリントプレビュー画像が表示される領域である。プリント設定表示・変更領域１３３は、各種プリント設定パラメータの現在の設定値を表示するとともに、現在の設定値を他の設定値に変更することができる領域である。各種プリント設定パラメータの初期設定値は、オススメの印刷設定で設定した設定値が表示される。決定デバイス表示領域１３４は、複数の選択デバイスから選択されたデフォルトデバイスに関する情報を表示する領域である。プリントボタン１３５は、その押下（タップ）により、決定デバイス表示領域１３４に表示されている１つのデフォルトデバイスに対して、印刷指示を行うためのものである。
【００６６】
つづいて、プリントプレビュー画面１３０において、プリント設定表示・変更領域１３３に表示されているプリント設定パラメータが変更される場合について説明する。図５のプリントプレビュー画面１３０では、プリント設定パラメータとして、用紙種類、用紙サイズ、画質、色数の選択を変更することができる。なお、複数のデバイスが選択されている場合には、プリント設定パラメータは、決定デバイス表示領域１３４に表示されている選択デバイスのケイパビリティに限らず、複数のデバイスの統合ケイパビリティにしたがい各デバイスで変更可能な値の和の範囲で変更することができる。したがって、決定デバイス表示領域１３４に表示されているデフォルトデバイスが、Ａ３用紙にプリントできないモデルであったとしても、他の選択されたデバイスにＡ３用紙にプリントできるものがあれば、Ａ３の用紙サイズに変更することができる。
【００６７】
ユーザは、操作部１０６を介してプリントプレビュー画面１３０のプリント設定表示・変更領域１３３の各プリント設定パラメータをそれぞれ操作することにより、現在の設定値から他の設定値に変更することができる。ＣＰＵは、プリント設定パラメータの変更があると（図８のステップ４０でＹＥＳ）、変更された設定で選択中のデバイスの中から使用するモデルを一意に特定できるかどうかを判断する（ステップ４１）。この判断の結果、モデルを一意に特定できれば、ＣＰＵは、特定したモデルのステータス情報をプリントプレビュー画面の右下、つまりプリントプレビュー画面１３０では決定デバイス表示領域１３４に表示した（ステップ４２）後、上記ステップ４０に戻る。例えば、用紙サイズとしてＡ３が選択された場合、複数の選択デバイス２００ａ、２００ｂ、２００ｃのうち、Ａ３サイズの用紙に印刷可能なデバイスは、複合機２００ｂのみであるので、ステップ４１でＹＥＳと判断され、デフォルトデバイスとして複合機２００ｂが選択される。
【００６８】
一方、ステップ４１の判断の結果、モデルを一意に特定できなければ、特定されたモデルの中から所定の条件により優先度の最も高いモデルのデバイスをデフォルトデバイスとして決定した（ステップ４３）後、上記ステップ４０に戻る。所定の条件とは、例えば、最も新しい機種、最もインク残量があるもの、最近使用されたもの、などである。この結果、決定されたデフォルトデバイスのデバイス情報が決定デバイス表示領域１３４に表示されることになる。例えば、用紙種別：普通紙、用紙サイズ：Ａ４、色数：モノクロが選択された場合に、複数の選択デバイス２００ａ、２００ｂ、２００ｃのいずれのデバイスも印刷する能力を有する。このような場合は、あらかじめ決められた所定の条件にしたがい、1台のデバイスを選択することとなる。この結果、複合機２００ａが選択される場合には、決定デバイス表示領域１３４のデバイス情報は、変更されない。
【００６９】
次に、プリントプレビュー画面１３０の決定デバイス表示領域１３４をユーザが操作部１０６を介して操作することにより、デフォルトデバイスを変更する処理について説明する。ＣＰＵは、決定デバイス表示領域１３４が操作される場合に（ステップ４４でＹＥＳ）、デフォルトデバイスの変更候補となるデバイスリストを表示する（ステップ４５）。変更候補となるデバイスとは、複数の選択デバイスのうち、プリント設定表示・変更領域１３３で表示されている現在の設定値のすべてをケイパビリティとして含むデバイスのことである。例えば、用紙種別：普通紙、用紙サイズ：Ａ４、色数：モノクロが選択された場合に、複数の選択デバイス２００ａ、２００ｂ、２００ｃのいずれのデバイスも印刷する能力を有する。このような場合は、デバイスリストに選択デバイス２００ａ、２００ｂ、２００ｃのデバイス情報を表示し、ユーザにより選択された１のデバイスが決定デバイス表示領域１３４に表示されるデフォルトデバイスとして決定される。一方で、図５で示す設定値（すなわち、用紙種別：光沢紙、用紙サイズ：Ｌ版を含む設定値）が現在の設定値の場合は、複合機２００ａしかケイパビリティを有さないため、この場合、デバイスリストには、複合機２００ａのみが表示される。すなわち、決定デバイス表示領域１３４を操作しても、デバイスの変更はできない。
【００７０】
なお、プリント設定表示・変更領域１３３の各プリント設定パラメータが変更された場合、変更後の設定値に応じたプリントプレビュー画像が作成され、プリントプレビュー表示領域１３２に表示されるプリントプレビュー画像も更新される。
【００７１】
プリントプレビュー画面１３０のプリントボタン１３５が操作されると（ステップ４６でＹＥＳ）、ＣＰＵは、印刷対象となるデータおよび現在の設定値を含む印刷指示を決定されたデフォルトデバイスに送信する（ステップ４７）。デフォルトデバイスは、受信した印刷指示にしたがい印刷対象となるデータの印刷処理を実行することとなる。
【００７２】
図２のプリントアイコンが操作された場合を例に説明したが、スキャンアイコンが操作された場合は、複数の選択デバイスのうちスキャン機能を有するデバイスがデフォルトデバイスとして決定される。ここで、複数の選択デバイスのうち２以上のデバイスのケイパビリティがスキャン機能を有する場合、所定の条件により優先度の最も高い１のデバイスが選択されればよい。所定の条件には、例えば、スキャナ機能のみを有する単体デバイスであるデバイス、ＡＤＦ方式に対応するデバイス、カラーに対応するデバイス、これらの条件をすべて含むデバイス等があげられる。そして、スキャン設定画面に、スキャン設定パラメータ表示・変更領域や決定デバイス表示領域を含み、それぞれの表示領域を操作することにより、デフォルトデバイスも変更される。
【００７３】
次に、コピーアイコンが操作された場合について説明する。このコピーアイコンが操作されて実現される機能は、スキャンアイコンが操作されて実現される機能と、プリントアイコンが操作されて実現される機能とを含む機能である。すなわち、コピーアイコンが操作されると、まずスキャンアイコンが操作された場合に表示されるスキャン設定画面と同様の第１設定画面が表示される。この画面を表示するうえで選択されるデフォルトデバイスは、スキャン機能を有するデバイスである。そして第１設定画面による設定操作終了後に、印刷のための第２設定画面が表示される。第２設定画面は、プリントプレビュー画面におけるプリント設定表示・変更領域１３３や決定デバイス表示領域１３４と同様の表示領域を含む。第２設定画面による表示を行う際、複数の選択デバイスのうち、プリント機能を有する１つのデバイスをデフォルトデバイスとして選択する。ここで選択されるデバイスは、第１設定画面を表示するうえで選択されたデフォルトデバイスと同じであってもよいし異なっていてもよい。すなわち、これらデフォルトデバイスは、それぞれ独立に選択されうる。第２設定画面による設定操作終了後、コピー実行のための操作が行われると、第１設定画面により選択されたデフォルトデバイスにスキャン要求を送信し、スキャンデータを受信する。受信したスキャンデータを第２設定画面により選択されたデフォルトデバイスに印刷指示とともに送信する。
【００７４】
なお、図２により、ＷＦアイコンが操作された場合は、ＷＦ情報として記憶されているデバイスがデフォルトデバイスに選択される。ＦＡＸアイコンが操作された場合は、複数の選択デバイスのうち、ＦＡＸ機能を有するデバイスをデフォルトデバイスとして選択する。そして、選択されたデフォルトデバイスに対し、選択された機能に対応する処理の実行を指示することとなる。
【００７５】
以上のようにして、通信ネットワーク５００を介してデバイス２００ａ〜２００ｆと通信可能に接続されるスマートフォン１００であって、記憶部１０８と、操作部１０６と、表示部１０５と、を備えたスマートフォン１００に実行される画像処理プログラムは、通信ネットワーク５００に接続されたデバイス２００ａ〜２００ｆの一覧であるデバイスリスト１２１を表示部１０５に表示する処理（ステップ１）と、デバイスリスト１２１の中から操作部１０６を介して選択指示した複数のデバイス２００ａ〜２００ｃを選択デバイスとして記憶部１０８に記憶させる処理と、デバイス２００ａ〜２００ｆにスキャン機能と印刷機能を含む複数の機能のうちのいずれを実行させるかをユーザに選択させるためのホーム画面１１０′であって、当該複数の機能は記憶部１０８に記憶された選択デバイスで実行可能な機能の和であるホーム画面１１０′を表示部１０５に表示する処理（ステップ１６）と、ホーム画面１１０′が表示されている際に、操作部１０６を介して複数の機能のうち１の機能の選択指示を受け付けると、選択デバイスに含まれる複数のデバイス２００ａ〜２００ｃのうち、選択指示を受け付けた機能を実行可能な１のデバイスを決定する処理（ステップ４２）と、この処理の実行後に、プリントボタン１３５を介してプリントの実行指示を受け付けると、決定された１のデバイスにプリントを指示する処理（ステップ４７）と、を含む。
【００７６】
本画像処理プログラムによれば、ホーム画面において、複数のデバイスの一覧であるデバイスリストの中から選択指示された複数のデバイスによって実行可能な機能の和の中から、いずれか１の機能が選択指示されると、複数の選択指示されたデバイスの中から、選択指示された１の機能を実行可能な１のデバイスが決定され、当該決定された１のデバイスにプリントが指示されるので、デフォルトデバイスを簡単に切り替えることが可能となる。
【００７７】
ちなみに、本実施形態において、スマートフォン１００は、「端末装置」の一例である。通信ネットワーク５００は、「ネットワーク」の一例である。デバイス２００ａ〜２００ｃは、「画像処理デバイス」の一例である。ホーム画面１１０′は、「メイン画面」の一例である。プリントボタン１３５は、「操作部」の操作子の一例である。プリントは、「画像処理」の一例である。
【００７８】
また、ホーム画面１１０′には、選択デバイスに含まれる複数のデバイス２００ａ〜２００ｃの各デバイス情報が含まれており、機能の選択指示を受け付けた後に表示されるプリントプレビュー画面１３０には、選択デバイスに含まれる複数のデバイス２００ａ〜２００ｃのうち、決定された１のデバイス２００ｃのデバイス情報が含まれ、他のデバイス２００ａ，２００ｂのデバイス情報は含まれない。
【００７９】
これにより、どのデバイスにプリントが指示されるのかが画面から一目瞭然となる。
【００８０】
画像処理プログラムはさらに、機能の選択指示を受け付けた後に、当該受け付けた機能により利用される画像の画像処理に関する設定パラメータを受け付けるプリント設定表示・変更領域１３３を表示部１０５に表示する処理を含み、選択デバイスに含まれる複数のデバイス２００ａ〜２００ｃのうち、選択指示を受け付けた機能を実行可能なデバイスが複数ある場合には、当該受け付けた機能を実行可能で、かつ、プリント設定表示・変更領域１３３から受け付けた設定パラメータにより画像処理を実行可能なデバイスが１のデバイスに決定される。
【００８１】
これにより、選択指示を受けた機能を実行可能なデバイスが複数あったとしても、自動的に１のデバイスに決定されるので、ユーザは面倒なデバイスの選択指示を行わなくてもよい。また、自動的に１のデバイスに決定された後も、ユーザの操作により、デフォルトデバイスを、複数の選択デバイスの範囲内から変更できる。したがって、自動的に決定された１のデバイスがユーザの意図しないデバイスであった場合でも、簡単にユーザが所望するデバイスをデフォルトデバイスとして変更できる。
【００８２】
デバイスが複数動作するコピー機能が選択された場合には、選択デバイスに含まれる複数のデバイス２００ａ〜２００ｃのうち、動作回数に対応する数のデバイスが決定される。すなわち、統合ケイパビリティにスキャン機能とプリント機能をともに備えていれば、デバイス単体にコピー機能を備えていなくても、コピー動作と同等の機能を実現できる。
【００８３】
ＷＦ情報に含まれるデバイスの少なくとも一部が、複数の選択デバイスに含まれる場合に、ホーム画面にＷＦアイコンが表示される。さらに、複数の選択デバイスの一部が含まれていない場合には、警告表示もあわせて表示される。これにより、ユーザは、所望のＷＦアイコンを操作することでＷＦ機能を実行させることが可能となるとともに、ＷＦ機能が実行できない場合には、警告表示を見ることにより実行できないことを容易に確認できる。
【００８４】
また、デバイスリスト１２１の中から、同時に複数の画像処理デバイスを選択デバイスとして選択可能なチェックボックス１２１ａ〜１２１ｄが表示部１０５に表示される。
【００８５】
なお、本発明は上記実施形態に限定されるものでなく、その趣旨を逸脱しない範囲で様々な変更が可能である。
【００８６】
（１）上記実施形態では、上記ステップ２２の判断の結果、統合ケイパビリティにインクジェット方式のプリント機能を有するデバイスが複数含まれている場合は、さらに条件を追加して絞り込むようにして、最終的に１のデフォルトデバイスに決定するようにしたが、複数のインクジェット方式のデバイスの中からユーザが１のデフォルトデバイスを選択するための画面をプリントプレビュー画面を表示する前に別途表示してもよい。
【００８７】
（２）また、プリントプレビュー画面から変更できるデフォルトデバイスは、現在の設定値のケイパビリティを有するデバイスの中からに限定しているが、それに限らず、ホーム画面で選択した複数の選択デバイスの中から選択できるようにしてもよい。この際、変更後のデフォルトデバイスのケイパビリティと現在の設定値とに矛盾が生じる場合には、その旨の情報を対応するプリント設定パラメータの近くに表示してもよい。
【００８８】
（３）上記実施形態では、デバイスリスト１２１からデバイスを選択する場合、ユーザ自身でチェックボックス１２１ａ〜１２１ｄを１つずつタップして行くことで選択したが、これに限らず、デバイスリスト１２１に記載されているデバイスのうち、記憶部１０８にデバイス特定情報、具体的にはＩＰアドレスが記憶されているデバイスについては、あらかじめチェックボックス１２１ａ〜１２１ｄにレ点が付いた状態、つまり選択済みで表示されるようにしてもよい。記憶部１０８にデバイス特定情報、具体的にはＩＰアドレスが記憶されているデバイスとは、例えば、ＷＦによりデバイスが指定されている場合や、過去の履歴により選択されたことのあるデバイス、スマートフォンにデバイスドライバがすでにインストールされているデバイスなどが挙げられる。
【００８９】
このように、記憶部１０８には、特定のデバイスを特定するＩＰアドレスが記憶され、デバイスリスト１２１に掲載されているデバイス２００ａ〜２００ｆのうち、記憶部１０８に記憶されているＩＰアドレスで特定されるデバイスはあらかじめ選択済みで表示される。
【００９０】
また、デバイスリスト１２１で掲載される各デバイスの情報として、そのデバイスのケイパビリティで実現できる機能に関する情報も併せて表示してもよい。
【００９１】
（４）上記実施形態では、ＷＦ情報に含まれるデバイスのうち、一部のデバイスが選択デバイスとして選択されていない場合であっても警告表示とともにＷＦアイコンを表示するが、ＷＦ情報に含まれるすべてのデバイスが複数の選択デバイスに含まれる場合にのみＷＦアイコンを表示するようにしてもよい。ＷＦとして完結できないアイコンは表示されないので、ユーザが選択操作してしまうことをあらかじめ回避できる。
【００９２】
（５）また、ＷＦ情報をあらたに登録する際の処理も、上記実施例に限らず、複数の選択デバイスの中から、ＷＦで利用する画像処理デバイスを自動で選択するようにしてもよい。すなわち、各機能アイコンを操作した場合と同様の処理により、選択中の複数のデバイスのうち１つのデフォルトデバイスをＷＦで利用する画像処理デバイスとして、自動で選択してもよい。例えば、図２（ｃ）で示す３つのデバイス２００ａ〜２００ｃがデフォルトデバイスとして選択された状態で、所定の画像処理から読み取られたスキャン画像を所定の記憶領域に保存するＷＦ４を新たに登録するために、ＷＦ作成ボタン１１５が操作された場合を例に説明する。３つのデバイス２００ａ、２００ｂ、２００ｃの統合ケイパビリティには、実行可能な機能としてスキャン機能が含まれている。すなわち、新規ＷＦとしてスキャンのためのＷＦが登録可能である。スキャンのためのＷＦを登録する場合、ＷＦ情報として登録するための設定画面を表示する。この設定画面は、スキャンアイコンを操作した場合に表示されるスキャン設定画面と同様のものである。すなわち、統合ケイパビリティに含まれるスキャン方式や解像度、原稿サイズ、色数に基づき、設定画面が表示される。ここで、デフォルトデバイスとして優先度の高いデバイスが、スキャン方式にＦＢ方式を有するデバイスであってもよい。この場合、複合機２００ｂおよび複合機２００ｂのオススメスキャン設定が設定画面に反映される。そのまま登録ボタンが操作されると、新規ＷＦであるＷＦ４として、複合機２００ｂを画像処理デバイスとして選択したＷＦ情報が新たに登録される。また、ユーザが設定画面を操作することにより、ＷＦ情報に登録される画像処理デバイスを変更したり、設定情報を変更したりすることができる。
【００９３】
（６）選択されるデバイスとして、ネットワークに接続されたデバイスの中から選択されたデバイスを例に説明したが、複数のデバイスには、ＵＳＢで接続されるデバイスを含めてもよいし、ＵＳＢで接続される複数のデバイスであってもよい。
【００９４】
（７）上記実施形態では、端末装置としてスマートフォン１００を採用したが、これに限らず、タブレット端末やＰＣ（パーソナルコンピュータ）、ＰＤＡ（personal digital assistant）などを採用してもよい。特に、オフィスでＰＣを使用する環境は、多数の画像処理デバイスが同一ネットワークに通信可能に接続されている可能性が高い。本実施形態は、多数の画像処理デバイスが同一ネットワークに通信可能に接続されている環境で、特に有効である。
【符号の説明】
【００９５】
１００  スマートフォン
１０１  制御部
１０４  無線通信部
１０５  表示部
１０６  操作部
１０８  記憶部
１１０，１１０′  ホーム画面
１１１  プリントアイコン
１１２  スキャンアイコン
１１３，１１３′  デバイスアイコン表示領域
１１５  ＷＦ作成ボタン
１１６  選択ボタン
１１７  コピーアイコン
１１８  ＷＦ１アイコン
１２０  デバイス検索ダイアログ
１２１，１２２  デバイスリスト
１３０  プリントプレビュー画面
１３１  プリント対象表示欄
１３２  プリントプレビュー表示領域
１３３  プリント設定表示・変更領域
１３４  決定デバイス表示領域
１３５  プリントボタン
２００ａ〜２００ｆ  デバイス
４００  無線ＬＡＮルータ
５００  通信ネットワーク
【図１】
2020087291.tif 000003
【図２】
2020087291.tif 000004
【図３】
2020087291.tif 000005
【図４】
2020087291.tif 000006
【図５】
2020087291.tif 000007
【図６】
2020087291.tif 000008
【図７】
2020087291.tif 000009
【図８】
2020087291.tif 000010